(57)【要約】【課題】草刈機に装着することにより、草刈機を送風作業機として使用することのできる草刈機用送風具を提供する。【解決手段】草刈機用送風具１を、動力源８３で操作管８２に回転自在に遊挿された伝動軸８１を介して操作管８２の先端に配設された回転軸８４を回転させる草刈機８０の回転軸８４に装着可能な装着部と、装着部から回転軸８４を中心として放射状に延びる基部１４と、基部１４から回転軸８４の軸方向に延びる羽根部１５とを具備する構成とする。【選択図】図２
2017112837.tif 000002
【特許請求の範囲】
【請求項１】
動力源で操作管に回転自在に遊挿された伝動軸を介して前記操作管の先端に配設された回転軸を回転させる草刈機の前記回転軸に装着可能な装着部と、
前記装着部から前記回転軸を中心として放射状に延びる基部と、
前記基部から前記回転軸の軸方向に延びる羽根部と
を具備することを特徴とする草刈機用送風具。
【請求項２】
前記羽根部が弾性素材で形成されている
ことを特徴とする請求項１に記載の草刈機用送風具。
【請求項３】
前記基部と前記羽根部を複数備え、
複数の前記基部が前記装着部に前記回転軸を中心として周方向に等角度間隔で配設されている
ことを特徴とする請求項１または請求項２に記載の草刈機用送風具。
【請求項４】
複数の前記基部の先端外側に周設された環状の保護部
を具備することを特徴とする請求項３に記載の草刈機用送風具。
【発明の詳細な説明】
【技術分野】
【０００１】
本発明は、草刈機に装着して使用される草刈機用送風具に関するものである。
【背景技術】
【０００２】
庭や家の周囲、道路脇や農道等の雑草を刈取るために草刈機を使用することがある。草刈機を用いることにより、雑草を刈取る作業が容易になる一方で、刈取った雑草を清掃する必要がある。刈取られた雑草を清掃する作業は、通常ほうき等を使用して手作業で行われるが、雑草の量が多いと非常に煩雑な作業となる。このため、エンジンやモータにより駆動する送風機と、送風機から送風された空気を噴出させる噴管を備える所謂送風作業機が使用されることがある。送風作業機は、噴管から噴出した空気で刈取った雑草等を吹飛ばして清掃するものであるが、庭の植木や街路樹等の落葉を清掃する場合に用いられることもある。
【０００３】
しかしながら、上記の送風作業機を草刈機と共に所有することは経済的な負担が大きい。また、使用する際にこれらの機器を運搬する労力を要する。
【発明の概要】
【発明が解決しようとする課題】
【０００４】
そこで、本発明は、上記の実情に鑑み、草刈機に装着することにより、草刈機を送風作業機として使用することのできる草刈機用送風具の提供を、課題とするものである。
【課題を解決するための手段】
【０００５】
請求項１の発明にかかる草刈機用送風具は、
「動力源で操作管に回転自在に遊挿された伝動軸を介して前記操作管の先端に配設された回転軸を回転させる草刈機の前記回転軸に装着可能な装着部と、
前記装着部から前記回転軸を中心として放射状に延びる基部と、
前記基部から前記回転軸の軸方向に延びる羽根部とを具備する」ものである。
【０００６】
本構成の草刈機用送風具は、把持したり、肩に掛けたり、或いは背負って使用される携帯用の草刈機の回転軸に装着して使用するものである。本構成の草刈機用送風具は、基部と羽根部をそれぞれ一枚ずつ備える構成でも、複数備える構成でも良い。また、装着部、基部、及び羽根部は、一体で形成されてもよく、それぞれ別体で形成されてもよい。羽根部が基部と別体で形成されている場合は、基部に着脱可能に取付けられる構成であってもよい。
【０００７】
草刈機用送風具を装着した状態で草刈機を駆動させると、草刈機用送風具が回転軸を中心として回転する。本構成の草刈機用送風具は、装着部から放射状に延びた基部から回転軸の軸方向に羽根部が延びた構成であることにより、回転軸を中心として放射状に風が送風される。従って、草刈機の操作管を操作して草刈機用送風具を地面に近づけることにより、略水平方向に放射状に送風された風で刈取られた雑草等を吹飛ばすことができる。また、本構成の草刈機用送風具は、通常の草刈機に装着することができるため、新たに専用の送風作業機を購入する必要が無く、経済的な負担が少ない。そして、草刈機と共に草刈機用送風具のみを運搬すればよいため、運搬にかかる労力が少ない。
【０００８】
請求項２の発明にかかる草刈機用送風具は、
「前記羽根部が弾性素材で形成されている」ものである。
【０００９】
本構成の草刈機用送風具は、弾性素材で形成されていることにより、回転する羽根部が家の外壁や植木等に接触した際の衝撃が小さく、羽根部が破損しにくい。また、家の外壁や植木等を傷つけにくい。
【００１０】
請求項３の発明にかかる草刈機用送風具は、
「前記基部と前記羽根部を複数備え、
複数の前記基部が前記装着部に前記回転軸を中心として周方向に等角度間隔で配設されている」ものである。
【００１１】
本構成の草刈機用送風具は、複数の羽根部を備えることにより、送風量を増大させることができる。また、複数の羽根部が装着部の周方向に等角度間隔に配設されていることにより、回転を安定させることができる。
【００１２】
請求項４の発明にかかる草刈機用送風具は、
「複数の前記基部の先端外側に周設された環状の保護部を具備する」ものである。
【００１３】
本構成の草刈機用送風具は、基部の先端外側に保護部が周設されていることにより、回転する基部や羽根部が小石などを飛ばしても、保護部に当たるため、小石などが周囲に飛び散るおそれが少ない。また、基部や羽根部が直接壁や地面に接触しにくく、基部や羽根部の破損を防止することができる。
【発明の効果】
【００１４】
以上のように、本発明の効果として、草刈機に装着することにより、草刈機を送風作業機として使用することのできる草刈機用送風具を提供することができる。
【図面の簡単な説明】
【００１５】
【図１】本発明の第一実施形態である草刈機用送風具の（ａ）は上面から見た斜視図、（ｂ）は下面から見た斜視図である。
【図２】図１の草刈機用送風具が装着された草刈機の図である。
【図３】図１の草刈機用送風具の取付け状態を説明する分解斜視図である。
【図４】本発明の第二実施形態である草刈機用送風具の（ａ）は上面から見た斜視図、（ｂ）は下面から見た分解斜視図である。
【図５】本発明の第三実施形態である草刈機用送風具の（ａ）は上面から見た斜視図、（ｂ）は下面から見た斜視図である。
【図６】本発明の第四実施形態である草刈機用送風具の上面から見た斜視図である。
【図７】本発明の第五実施形態である草刈機用送風具の上面から見た斜視図である。
【図８】本発明の第六実施形態である草刈機用送風具の上面から見た斜視図である。
【発明を実施するための形態】
【００１６】
以下、本発明の第一実施形態乃至第六実施形態である草刈機用送風具１〜６について図１乃至図８を用いて説明する。なお、以下では草刈機用送風具１〜６を単に送風具１〜６と称する。
【００１７】
第一実施形態の送風具１は、図１に示すように、中央部分に装着孔１１が穿設された十字形状の板材１２を備えている。装着孔１１が設けられた中央部分が装着部１３であり、装着孔１１を中心として装着部１３から四方に延びた部分が基部１４である。装着孔１１は、後述するように草刈機８０の回転軸８４が挿通される。つまり、送風具１では、装着部１３に回転軸８４を中心として周方向に四個の基部１４が等角度間隔で配設されている。それぞれの基部１４には、基部１４と略同一の長さの羽根部１５が取付けられている。羽根部１５は、平板状の上板部１５ａと下板部１５ｂが略直交した断面Ｌ字形状の板材であり、上板部１５ａの上面が基部１４の下面に当接している。つまり、下板部１５ｂは、基部１４の下方に延びた状態になっている。また、羽根部１５の上板部１５ａと下板部１５ｂの折曲げ線は、基部１４の一方の側面に沿っている。つまり、対向する二枚の羽根部１５の下板部１５ｂは、装着孔１１を中心として点対称の位置にある。なお、装着部１３と基部１４はアルミニウム製であり、羽根部１５は弾性素材である天然ゴム製である。そして、羽根部１５は基部１４に接着剤やリベット等で取付けられている。
【００１８】
本実施形態の送風具１は、通常の草刈機８０に装着することができる。ここで、草刈機８０は、図２に示すように、伝動軸８１が回転自在に遊挿された長尺の操作管８２と、操作管８２の基端８２ａに配設され、伝動軸８１を回転させる動力源８３と、操作管８２の先端８２ｂに配設され、伝動軸８１と連動して回転する回転軸８４を有するホルダ８５とを備えており、通常は回転軸８４に刈刃を装着して使用される。また、草刈機８０は操作管８２の長さ方向の略中央部分に取付けられたＵ字状のハンドル８６と、肩掛け用のベルト（図示を省略）を備えている。これにより、ベルトを肩に掛けて草刈機８０を担ぐことができ、ハンドル８６を把持して操作管８２の先端８２ｂ側を振るように操作することができる。草刈機８０の動力源８３はエンジンであり、燃料タンクを備えている。なお、動力源８３はエンジンに限らず、バッテリーを備えたモータでもよい。
【００１９】
草刈機８０のホルダ８５は、図３に示すように、操作管８２の先端８２ｂに取付けられたギヤケース８７、ギヤケース８７に回転可能に支持され、回転軸８４が連結された刃受部材８８、ワッシャ８９、略円筒状の刃押部材９０、ナット９１から構成されている。ギヤケース８７の内部には、伝動軸８１と係合した傘歯車と、傘歯車と係合した回転軸８４が配設されている。つまり、回転軸８４は傘歯車を介して伝動軸８１と交差して係合しており、伝動軸８１と連動して回転可能になっている。また、回転軸８４は、刃受部材８８を貫通して外部に突出した部分に雄ネジを有している。そして、ナット９１は、回転軸８４の雄ネジと螺合する雌ネジを有している。一方、外周に沿って刃が形成された通常の円形の刈刃は、中心に貫通孔を有している。従って、通常の刈刃は、以下の手順で回転軸８４に装着することができる。まず、回転軸８４を刈刃の貫通孔に挿通させる。次に、回転軸８４をワッシャ８９と刃押部材９０に挿通させ、ナット９１を回転軸８４に螺合する。そして、ナット９１を締めて刃受部材８８と刃押部材９０とで刈刃を挟着することにより、刈刃を回転軸８４に装着することができる。なお、回転軸８４の雄ネジとナット９１の雌ネジは逆ネジになっている。
【００２０】
本実施形態の送風具１は通常の刈刃と同様に草刈機８０に装着することができる。すなわち、送風具１の装着孔１１に回転軸８４を挿通させたのち、ワッシャ８９及び刃押部材９０に回転軸８４を挿通させる。そして、回転軸８４にナット９１を螺合し、ナット９１を締めて刃押部材９０と刃受部材８８とで送風具１を挟着することにより、送風具１を回転軸８４に装着することができる。ここで、送風具１は、羽根部１５が刃受部材８８に対して反対側に立設された状態で回転軸８４に装着する。
【００２１】
なお、草刈機によっては、刃受部材側に雌ネジを有する孔部が穿設されており、雌ネジと螺合する取付ボルトにより刈刃等を取付けるものがある。この場合も、刃押部材、ワッシャ、及び送風具１の装着孔１１に挿通させた取付ボルトを刃受部材の雌ネジに螺合し、取付ボルトを締めて刃押部材と刃受部材とで送風具１を挟着することにより、送風具１を回転軸に装着することができる。
【００２２】
本実施形態の送風具１を装着した草刈機８０は、刈刃を装着した場合と同様に使用することができる。具体的には、肩掛け用のベルトを肩に掛けて草刈機８０を担ぎ、ハンドル８６を把持する。そして、動力源８３を駆動して送風具１を回転させる。羽根部１５が装着部１３から放射状に延びた基部１４から下方に延びる構成であることにより、回転軸８４を中心として放射状に風が送風される。そして、草刈機８０のハンドル８６を操作して操作管８２を傾け、送風具１の基部１４が地面と略水平になるようする。これにより、地面に対して風が略水平に送風されるため、地面に落ちた刈取られた雑草を水平方向に吹飛ばすことができる。そして、操作管８２の先端８２ｂ側を振るように草刈機８０を操作して刈取られた雑草を吹飛ばして清掃することができる。
【００２３】
このように、第一実施形態の送風具１は、動力源８３で操作管８２に回転自在に遊挿された伝動軸８１を介して操作管８２の先端８２ｂに配設された回転軸８４を回転させる草刈機８０の回転軸８４に装着可能な装着孔１１を有する装着部１３と、装着部１３から回転軸８４を中心として周方向に等角度間隔で配設され、放射状に延びた複数の基部１４と、複数の基部１４のそれぞれから回転軸８４の軸方向に延びる弾性部材で形成された複数の羽根部１５とを具備している。
【００２４】
従って、本実施形態の送風具１は、草刈機８０の回転軸８４に装着することにより、草刈機８０を送風作業機として使用することができる。このため、草刈機８０に加えて新たに専用の送風作業機を購入する必要が無く、経済的な負担を軽減することができる。そして、送風具１を携帯することにより、草刈機８０を送風作業機としても使用することができる。また、運搬にかかる労力が少ない。
【００２５】
また、本実施形態の送風具１では、装着部１３の周方向に等角度間隔で配設された四個の羽根部１５を備えることにより、送風具１の回転を安定させることができる。
【００２６】
更に、本実施形態の送風具１は、羽根部１５が弾性素材で形成されていることにより、回転する羽根部１５が家の外壁や植木等に接触した際の衝撃が小さく、羽根部１５が破損しにくい。また、家の外壁や植木等を傷つけにくい。
【００２７】
加えて、本実施形態の送風具１は構造が簡易であるため、安価で製造することができる。また、構造が簡易であることにより、軽量化が図り易い。特に本実施形態の送風具１は装着部１３と基部１４がアルミニウムで形成されているため、軽量なものにできる。このため、刈刃に替えて送風具１を装着しても操作管８２の先端８２ｂ側が重くならず、草刈機８０の操作性を損ねない。
【００２８】
なお、基部１４と羽根部１５を弾性素材で一体で形成してもよく、或いは、送風具１を弾性素材で一体で形成してもよい。また、弾性部材は天然ゴムに限らず、イソプレンゴムやブチルゴムなどの合成ゴム、或いは、ポリプロピレン、ＡＳ樹脂、ＡＢＳ樹脂などの樹脂でもよい。更に、本実施形態では基部１４と羽根部１５を四枚としたが、一枚ずつ備える構成でもよい。この場合も、回転軸８４を中心として放射状に風を送風することができる。そして、より簡易な構成となるため、より安価で軽量な送風具にすることができる。
【００２９】
第二実施形態の送風具２は、図４に示すように、中央部分に装着孔２１が穿設された十字の管状部材２２を備えている。装着孔２１が設けられた中央部分が装着部２３であり、装着部２３から四方に延びた部分が基部２４である。それぞれの基部２４は、長さ方向に穿設された断面長方形の保持孔部２４ａを有し、先端側が開放されている。また、それぞれの基部２４は、下面の長さ方向に亘って形成された下面溝部２４ｂを有している。羽根部２５は、断面長方形で平板状の嵌合部２５ａと、嵌合部２５ａの下面から湾曲して延びた湾曲部２５ｂを有している。羽根部２５は、湾曲部２５ｂと基部２４の下面溝部２４ｂの位置を合わせて基部２４の先端側から嵌合部２５ａをスライドさせながら保持孔部２４ａに挿入することにより取付けることができる。つまり、羽根部２５の湾曲部２５ｂが基部２４の下面から回転軸８４の軸方向に延びた状態になる。また、湾曲部２５ｂは回転方向（反時計回り）に凹面が向くように湾曲している。なお、装着部２３と基部２４はアルミニウム製であり、羽根部２５は天然ゴム製である。
【００３０】
このように、第二実施形態の送風具２は、動力源８３で操作管８２に回転自在に遊挿された伝動軸８１を介して操作管８２の先端８２ｂに配設された回転軸８４を回転させる草刈機８０の回転軸８４に装着可能な装着孔２１を有する装着部２３と、装着部２３から回転軸８４を中心として周方向に等角度間隔で配設され、放射状に延びた複数の基部２４と、弾性部材で形成され、複数の基部２４のそれぞれに着脱可能に取付けられて、回転軸８４の軸方向に湾曲して延びる複数の羽根部２５とを具備している。
【００３１】
従って、本実施形態の送風具２も第一実施形態の送風具１と同様に草刈機８０の回転軸８４に装着することにより、草刈機８０を送風作業機として使用することができる。
【００３２】
また、本実施形態の送風具２では、羽根部２５の湾曲部２５ｂが湾曲しており、凹面が回転方向を向いた状態になっている。これにより、送風具２が回転する際の送風量を増大することができる。
【００３３】
更に、本実施形態の送風具２は、羽根部２５が基部２４に着脱可能な構成であることにより、羽根部２５が破損した際に、破損した羽根部２５のみを取替えることができる。なお、本実施形態の送風具２は、羽根部２５の脱落を防止するために、基部２４と羽根部２５の嵌合部２５ａを貫通して、羽根部２５を基部２４に留付ける留付部材、または、基部２４の先端に着脱可能な蓋部材を備えてもよい。或いは、羽根部２５の嵌合部２５ａに凸部、または凹部が形成され、これに対応する凹部、または凸部が基部２４の保持孔部２４ａ側に形成されており、基部２４と羽根部２５が凹部と凸部を係合させて取付けられる構成であってもよい。
【００３４】
第三実施形態の送風具３は、図５に示すように、中央部分に装着孔３１が穿設され、装着部３３、基部３４、及び羽根部３５が一体で形成された略十字形状の板材３２を備えている。装着孔３１が設けられた中央部分が装着部３３であり、装着部３３から四方に延びた部分が基部３４である。それぞれの基部３４の一方の側面に沿って基部３４と略同一の長さの板状の羽根部３５が略直角に下方へ延びている。つまり、対向する二枚の羽根部３５は、回転軸８４を中心として点対称の位置にある。なお、装着部３３、基部３４、及び羽根部３５はアルミニウムで形成されている。
【００３５】
四個の基部３４の先端外側には環状の保護部３６が周設されている。保護部３６は、縦断面の形状が四角形であるアルミニウム製の細長い板材の両端を接合して環状にしたものである。保護部３６の内径は、十字形状の板材３２の長さと略同一である。そして、保護部３６の内周面に当接させた四個の羽根部３５の外側先端３５ａがそれぞれ保護部３６に溶接されている。また、回転軸８４の軸方向に対する保護部３６の長さは羽根部３５よりも短く形成されている。これにより、送風具３の回転時に保護部３６が送風の妨げにならない。なお、保護部３６は黄色に着色されている。
【００３６】
このように、第三実施形態の送風具３は、動力源８３で操作管８２に回転自在に遊挿された伝動軸８１を介して操作管８２の先端８２ｂに配設された回転軸８４を回転させる草刈機８０の回転軸８４に装着可能な装着孔３１を有する装着部３３と、装着部３３から回転軸８４を中心として周方向に等角度間隔で配設され、放射状に延びた複数の基部３４と、複数の基部３４のそれぞれと一体で形成され、回転軸８４の軸方向に延びる複数の羽根部３５と、複数の基部３４の先端外側に周設された環状の保護部３６を具備している。
【００３７】
従って、第三実施形態の送風具３も第一実施形態及び第二実施形態の送風具１，２と同様に、草刈機８０の回転軸８４に装着することにより、草刈機８０を送風作業機として使用することができる。
【００３８】
また、本実施形態の送風具３は保護部３６を備えることにより、回転する基部３４や羽根部３５が小石などを飛ばしても、保護部３６に当たるため、小石などが周囲に飛び散るおそれが少ない。また、回転する基部３４や羽根部３５が壁や地面に直接接触しにくく、基部３４や羽根部３５の破損を防止することができる。更に、保護部３６は、羽根部３５の外側先端３５ａに取付けられていることにより、基部３４から下方に延びた羽根部３５の下端を視認しにくいところ、これを視認することができる。特に、本実施形態の保護部３６は着色されているため、羽根部３５の下端をより視認し易い。このため、送風具３の羽根部３５の下端が地面に接触することを防止できる。
【００３９】
なお、本実施形態の送風具３の装着部３３、基部３４、羽根部３５、及び保護部３６は、アルミニウムに限らず、ステンレスやチタンで形成してもよく、或いはゴムや樹脂などの弾性部材で形成してもよい。また、保護部３６の縦断面の形状は、他の多角形や、円形、楕円形であってもよい。
【００４０】
第四実施形態の送風具４は、図６に示すように、装着部４３、基部４４、及び羽根部４５が一体で形成されている。軸方向に貫通した装着孔４１を有する略円筒状の部分が装着部４３である。そして、装着部４３の側面に装着孔４１を中心として等角度間隔に配設され、放射状に湾曲して延びた部分がそれぞれ基部４４と一体になった羽根部４５である。つまり、送風具４は、基部４４と一体になった三枚の羽根部４５を有している。三枚の羽根部４５は、回転方向（反時計回り）に凸面が向くように湾曲しており、平面視の形状が渦状を呈している。
【００４１】
第五実施形態の送風具５は、図７に示すように、装着部５３、基部５４、及び羽根部５５が一体で形成されている。上面から下面に貫通した装着孔５１を有する略四角柱状の部分が装着部５３であり、装着部５３のそれぞれの側面から直角に延びた板状の部分が基部５４と一体になった羽根部５５である。つまり、送風具５は、装着孔５１を中心として等角度間隔に装着部５３に配設された四枚の羽根部５５を備えている。なお、対向する二枚の羽根部５５は、回転軸８４を中心として点対称の位置にある。
【００４２】
第六実施形態の送風具６は、図８に示すように、装着部６３、基部６４、及び羽根部６５が一体で形成されている。上面から下面に貫通した装着孔６１を有する中央部分が装着部６３である。そして、装着孔６１を中心として周方向へ等角度間隔に配設された五個の略三角形状の部分が基部６４と一体になった羽根部６５である。羽根部６５は、先端側で細くなっている。
【００４３】
このように、第四実施形態乃至第六実施形態の送風具４〜６は、動力源８３で操作管８２に回転自在に遊挿された伝動軸８１を介して操作管８２の先端８２ｂに配設された回転軸８４を回転させる草刈機８０の回転軸８４に装着可能な装着孔４１，５１，６１を有する装着部４３，５３，６３と、装着部４３，５３，６３から回転軸８４を中心として周方向に等角度間隔で配設され、放射状に延びた複数の基部４４，５４，６４と、複数の基部４４，５４，６４のそれぞれと一体で形成され、回転軸８４の軸方向に延びる複数の羽根部４５，５５，６５とを具備している。なお、送風具４〜６は、ポリプロピレンで一体に形成されている。
【００４４】
第四実施形態乃至第六実施形態の送風具４〜６も第一実施形態乃至第三実施形態の送風具１〜３と同様に、草刈機８０の回転軸８４に装着することにより、草刈機８０を送風作業機として使用することができる。また、送風具４〜６は、簡易な構成であるため、射出成型で容易に製造することができる。更に、送風具４の基部４４と一体になった羽根部４５は、回転方向に凸面を有して湾曲していることにより、回転する際の空気抵抗が低減され、振動や騒音が生じにくい。
【００４５】
なお、第四実施形態乃至第六実施形態の送風具４〜６では、羽根部４５，５５，６５をそれぞれ三〜五枚としたが、送風できる形状の羽根部を一枚以上備える構成であれば良い。また、第五実施形態及び第六実施形態の送風具５，６の羽根部５５，６５が第四実施形態の送風具４の羽根部４５と同様に湾曲していてもよい。更に、ＡＳ樹脂や、ＡＢＳ樹脂などのその他の樹脂や天然ゴムや合成ゴム、或いはアルミニウムなどの金属で形成してもよい。
【００４６】
第一実施形態乃至第六実施形態の送風具１〜６は、装着部１３，２３，３３，４３，５３，６３を備えることにより、草刈機８０の回転軸８４に装着することができる。そして、送風具１〜６は、装着部１３，２３，３３，４３，５３，６３から放射状に延びる基部１４，２４，３４，４４，５４，６４に回転軸８４の軸方向に延びる羽根部１５，２５，３５，４５，５５，６５を備えることにより、回転時に回転軸８４から放射状に風を送風することができる。これにより、草刈機２０の操作管８２を操作して送風具１〜６を地面に近づけ、略水平方向に送風された風で刈取られた雑草等を吹飛ばして清掃することができる。
【００４７】
従って、第一実施形態乃至第六実施形態の送風具１〜６を草刈機８０の回転軸８４に装着することにより、草刈機８０を送風作業機として使用することができる。これにより、送風作業機を別途購入する経済的な負担を軽減することができる。
【００４８】
また、草刈機８０と共に送風具１〜６のみを運搬すればよいため容易に運搬することができ、運搬にかかる労力が少ない。
【００４９】
更に、第一実施形態乃至第六実施形態の送風具１〜６が破損した場合に、送風具１〜６のみを交換すればよいため、修理にかかる経済的な負担が少ない。
【００５０】
以上、本発明について好適な実施形態を挙げて説明したが、本発明は上記の実施形態に限定されるものではなく、本発明の要旨を逸脱しない範囲において、種々の改良及び設計の変更が可能である。
【００５１】
例えば、第一実施形態、第二実施形態、第四実施形態乃至第六実施形態の送風具１，２，４〜６が保護部３６を備えていてもよい。また、第四実施形態乃至第六実施形態の送風具４〜６の羽根部４５，５５，６５が着脱可能になっていてもよい。更に、羽根部の形状は、回転軸を中心として放射状に風を送風できるものであれば上記の形状に限らない。
【符号の説明】
【００５２】
１〜６  草刈機用送風具
１３，２３，３３，４３，５３，６３  装着部
１４，２４，３４，４４，５４，６４  基部
１５，２５，３５，４５，５５，６５  羽根部
８０  草刈機
８１  伝動軸
８２  操作管
８３  動力源
８４  回転軸
【図１】
2017112837.tif 000003
【図２】
2017112837.tif 000004
【図３】
2017112837.tif 000005
【図４】
2017112837.tif 000006
【図５】
2017112837.tif 000007
【図６】
2017112837.tif 000008
【図７】
2017112837.tif 000009
【図８】
2017112837.tif 000010